(57)【要約】      （修正有）【課題】車輌の運転手にとって便利な計器クラスター装置を使用する支払いのための方法及びシステムを提供する。【解決手段】計器クラスター装置を使用する支払いのための方法は、ＰＯＳ端末機の支払い証明読み取り機により、支払い証明が車輌の計器クラスター装置から読み取られて、ＰＯＳ端末機のＰＯＳコンピュータに送られるステップと、ＰＯＳコンピュータにより、インターネット経由で、モバイル装置が支払い情報を計器クラスター装置に送ることを可能にするステップと、計器クラスター装置により支払い情報を表示するステップと、取引きが使用者の車輌に対する操作により確認された後に、計器クラスター装置により、モバイル装置が支払いを処理することを可能にするステップと、モバイル装置により計器クラスター装置に支払いが行われていることを示す確認メッセージが送られるステップと、を含む。【選択図】図３
2019153278.tif 000002
【特許請求の範囲】
【請求項１】
取引きを遂行するための計器クラスター装置(5)を用いる支払いのための方法であって、該方法は、車輌(1)に備えられた前記計器クラスター装置(5)と、モバイル装置(6)と、販売時点管理(ＰＯＳ)端末機(9)とで実行されるように適用され、前記計器クラスター装置(5)は前記モバイル装置(6)と通信可能であり、前記モバイル装置(6)はインターネット経由で前記ＰＯＳ端末機(9)と通信可能であり、前記ＰＯＳ端末機(9)はＰＯＳコンピュータ(91)と、前記ＰＯＳコンピュータ(91)に電気的に接続される支払い証明読み取り機(92)とを具え、
(a)  前記ＰＯＳ端末機(9)の前記支払い証明読み取り機(92)により、前記モバイル装置
(6)に係る支払い証明が前記車輌(1)の前記計器クラスター装置(5)から読み取られ
て、前記ＰＯＳ端末機(9)の前記ＰＯＳコンピュータ(91)に送られるステップと、
(b)  前記ＰＯＳ端末機(9)の前記ＰＯＳコンピュータ(91)により、インターネット経由
で、前記支払い証明に係る前記モバイル装置(6)が取引きに関する支払い情報を前
記モバイル装置(6)と通信する前記計器クラスター装置(5)に送ることを可能にす
るステップと、
(c)  前記計器クラスター装置(5)により前記支払い情報を表示するステップと、
(d)  前記取引きが使用者の前記車輌(1)に対する操作により確認された後に、前記計器
クラスター装置(5)により、前記モバイル装置(6)が支払いを処理することを可能
にするステップと、
(e)  前記モバイル装置(6)により前記計器クラスター装置(5)に支払いが行われている
ことを示す確認メッセージが送られるステップと、
を含むことを特徴とする支払いのための方法。
【請求項２】
前記計器クラスター装置(5)はホストディスプレイ(50)を具え、
前記ステップ(a)は、前記ＰＯＳ端末機(9)の前記支払い証明読み取り機(92)によりイメージスキャンでバーコードを読み取ることを含み、前記バーコードは前記支払い証明の情報を包含し且つ前記計器クラスター装置(5)の前記ホストディスプレイ(50)に表示されるものであり、
前記ステップ(c)は、前記支払い情報を前記計器クラスター装置(5)の前記ホストディスプレイ(50)で表示することを含む、
請求項１に記載の支払いのための方法。
【請求項３】
前記取引きはエネルギー源の購買に関連し、前記車輌(1)はエネルギーストレージと前記計器クラスター装置(5)に電気的に接続されるエネルギーレベルセンサー(3)とを具え、前記ステップ(a)より前に、
(f)  前記エネルギーレベルセンサー(3)により前記エネルギーストレージ内のエネルギ
ー源のエネルギーレベルを検出してエネルギーレベル信号を生成し、前記エネル
ギーレベル信号を前記計器クラスター装置(5)に送るステップと、
(g)  前記計器クラスター装置(5)により前記エネルギーレベル信号に基づいて、前記エ
ネルギーストレージ内の前記エネルギー源の前記エネルギーレベルが上昇したか
どうかを判定するステップと、
(h)  前記エネルギーストレージ内の前記エネルギーレベルが上昇したと前記計器クラ
スター装置(5)に判定された場合、前記計器クラスター装置(5)の前記ホストディ
スプレイ(50)により前記バーコードを表示するステップと、
をさらに含む、請求項２に記載の支払いのための方法。
【請求項４】
前記計器クラスター装置(5)は近距離無線通信(ＮＦＣ)モジュール(514)を具え、
前記ステップ(a)は、前記ＰＯＳ端末機(9)の前記支払い証明読み取り機(92)により、ＮＦＣ技術を用いて前記ＮＦＣモジュール(514)経由で前記計器クラスター装置(5)により提供される前記支払い証明を読み取ることを含む、
請求項１に記載の支払いのための方法。
【請求項５】
前記取引きはエネルギー源の購買に関連し、前記車輌(1)はエネルギーストレージとエネルギーレベルセンサー(3)を具え、前記計器クラスター装置(5)はプロセッサモジュール(511)を具え、前記プロセッサモジュール(511)は前記ＮＦＣモジュール(514)と前記エネルギーレベルセンサー(3)に電気的に接続され、前記ステップ(a)より前に、
(i)  前記エネルギーレベルセンサー(3)により前記エネルギーストレージ内のエネルギ
ー源のエネルギーレベルを検出してエネルギーレベル信号を生成し、前記エネル
ギーレベル信号を前記計器クラスター装置(5)の前記プロセッサモジュール(511)
に送るステップと、
(j)  前記計器クラスター装置(5)の前記プロセッサモジュール(511)により前記エネル
ギーレベル信号に基づいて、前記エネルギーストレージ内の前記エネルギーレベ
ルが上昇したかどうかを判定するステップと、
(k)  前記エネルギーストレージ内の前記エネルギーレベルが上昇したと前記計器クラ
スター装置(5)の前記プロセッサモジュール(511)に判定された場合、前記プロセ
ッサモジュール(511)により前記ＮＦＣモジュール(514)を作動して、前記ＰＯＳ
端末機(9)の前記支払い証明読み取り機(92)によりＮＦＣ技術を用いて前記支払い
証明書を読み取れるようにするステップと、
をさらに含む、請求項４に記載の支払いのための方法。
【請求項６】
前記ステップ(b)は、前記ＰＯＳ端末機(9)の前記ＰＯＳコンピュータ(91)により、前記支払い証明に係る前記モバイル装置(6)が前記取引きに関与するトータル料金に係る情報を含む前記支払い情報を送ることを可能にすることを含む、請求項１に記載の支払いのための方法。
【請求項７】
前記車輌(1)は、前記計器クラスター装置(5)に電気的に接続されるボタンを更に具え、
前記ステップ(d)は、前記取引きに関与する前記トータル料金に係る前記情報が前記ボタン(4)における使用者の操作で確認された後に、前記計器クラスター装置(5)により前記モバイル装置(6)が支払いを処理することを可能にすることを含む、
請求項６に記載の支払いのための方法。
【請求項８】
前記モバイル装置(6)と前記計器クラスター装置(5)は有線通信または無線通信で互いに通信する、請求項１に記載の支払いのための方法。
【請求項９】
取引きを遂行するための計器クラスター装置(5)を用いる支払いのためのシステムであって、該システムは、車輌(1)と、販売時点管理(ＰＯＳ)端末機(9)との組み合わせで使用されるように適用され、前記ＰＯＳ端末機(9)はＰＯＳコンピュータ(91)と、前記ＰＯＳコンピュータ(91)に電気的に接続される支払い証明読み取り機(92)とを具え、
前記車輌(1)に配置された計器クラスター装置(5)であって、前記ＰＯＳ端末機(9)の前記支払い証明読み取り機(92)により読み取られる支払い証明を提供して、前記ＰＯＳ端末機(9)の前記支払い証明読み取り機(92)が前記支払い証明を前記ＰＯＳ端末機(9)の前記ＰＯＳコンピュータ(91)に送って、前記ＰＯＳ端末機(9)の前記ＰＯＳコンピュータ(91)により取引きに関する支払い情報がインターネット経由で更に送られるようにできるよう構成された計器クラスター装置(5)と、
前記計器クラスター装置(5)と通信可能で、前記支払い証明に関連されて、かつ、前記ＰＯＳ端末機(9)の前記ＰＯＳコンピュータ(91)により送られる前記支払い情報を受け取って前記支払い情報を前記計器クラスター装置(5)に送れるように構成された前記モバイル装置(6)と、を具え、
前記計器クラスター装置(5)は、前記支払い情報を表示し、且つ、前記計器クラスター装置(5)において前記取引きが使用者の操作により確認された後に、前記モバイル装置(6)が支払いを処理することを可能にするように更に構成されたこと、
を特徴とする支払いのためのシステム。
【請求項１０】
前記計器クラスター装置(5)はバーコードを表示するように構成されるホストディスプレイ(50)を具え、前記バーコードは前記支払い証明の情報を包含し、且つ、前記ＰＯＳ端末機(9)の前記支払い証明読み取り機(92)によりイメージスキャンで読み取られて、前記ホストディスプレイ(50)は前記支払い情報を表示するように構成される、請求項９に記載の支払いのためのシステム。
【請求項１１】
前記取引きはエネルギー源の購買に係り、前記車輌(1)はエネルギーストレージを備え、
前記システムは、
前記車輌(1)に配置され、且つ、前記計器クラスター装置(5)に電気的に接続され、前記エネルギーストレージ内のエネルギー源のエネルギーレベルを検出してエネルギーレベル信号を生成し、前記エネルギーレベル信号を前記計器クラスター装置(5)に送るように構成されたエネルギーレベルセンサー(3)を更に具え、
前記計器クラスター装置(5)は、前記エネルギーレベル信号に基づいて前記エネルギーストレージ内のエネルギー源のエネルギーレベルが上昇したかどうかをを判定し、前記計器クラスター装置(5)により前記エネルギーストレージ内のエネルギー源のエネルギーレベルが上昇したと判定された場合、前記バーコードを前記計器クラスター装置(5)の前記ホストディスプレイ(50)に表示するように更に構成される、
請求項１０に記載の支払いのためのシステム。
【請求項１２】
前記計器クラスター装置(5)は前記支払い証明を提供するように構成される近距離無線通信(ＮＦＣ)モジュール(514)を具え、前記近距離無線通信(ＮＦＣ)モジュール(514)は、前記ＰＯＳ端末機(9)の前記支払い証明読み取り機(92)によりＮＦＣ技術を用いて読み取られる前記支払い証明を提供するように構成される、
請求項９に記載の支払いのためのシステム。
【請求項１３】
前記取引きはエネルギー源の購買に係り、前記車輌(1)はエネルギーストレージを具え、
前記システムは、
前記車輌(1)に配置され、前記エネルギーストレージ内のエネルギー源のエネルギーレベルを検出してエネルギーレベル信号を生成し、前記エネルギーレベル信号を送るように構成されたエネルギーレベルセンサー(3)を更に具え、
前記計器クラスター装置(5)はプロセッサモジュール(511)を具え、該プロセッサモジュール(511)は、前記ＮＦＣモジュール(514)と前記エネルギーレベルセンサー(3)とに電気的に接続され、前記エネルギーレベル信号を受け取って、前記エネルギーレベル信号に基づいて前記エネルギーストレージ内の前記エネルギー源の前記エネルギーレベルが上昇したかどうかを判定し、前記計器クラスター装置(5)の前記プロセッサモジュール(511)により前記エネルギーストレージ内の前記エネルギー源の前記エネルギーレベルが上昇したと判定された場合、前記ＮＦＣモジュール(514)を作動して前記ＰＯＳ端末機(9)の前記支払い証明読み取り機(92)がＮＦＣ技術を用いて前記支払い証明を読み取ることを可能にするように構成される、
請求項１２に記載の支払いのためのシステム。
【請求項１４】
前記支払い情報は、前記取引きに関与するトータル料金に係る情報を含む、
請求項９に記載の支払いのためのシステム。
【請求項１５】
前記車輌(1)に配置されるボタンを更に具え、前記ボタンは、前記計器クラスター装置(5)の前記プロセッサモジュール(511)に電気的に接続され、前記取引きに関与するトータル料金に係る情報の確認のために操作されるように構成される、
請求項１４に記載の支払いのためのシステム。
【請求項１６】
前記モバイル装置(6)と前記計器クラスター装置(5)は有線通信または無線通信で互いに通信するように構成される、
請求項１１に記載の支払いのためのシステム。
【発明の詳細な説明】
【技術分野】
【０００１】
本発明は支払いのための方法とシステムに関し、特には取引きを遂行するための計器クラスター装置を使用する支払いのための方法とシステムに関する。
【背景技術】
【０００２】
取引きにおける支払いの従来の手段は、例えば台湾実用新案公告第２５５３３３号のようなものでは、現金、クレジットカード、もしくはApple PayやAndroid Payなどのモバイル支払いで実現される。ただ、現金、クレジットカード、もしくはモバイル装置を取り出すという追加の行動が必要になるため、前述した従来の手段は車輌の運転手にとっては不便なことがある。たとえばバイクの運転手がレインコートを着ながら給油代を支払うような場合には、従来の手段ならまた一層不便になる。
【先行技術文献】
【特許文献】
【０００３】
【特許文献１】台湾実用新案公告第２５５３３３号
【発明の概要】
【発明が解決しようとする課題】
【０００４】
そこで、本開示の目的は、上記従来技術の欠点を少なくとも１つ解決できる取引きを遂行するための計器クラスター装置を用いる支払いのための方法及びシステムを提供することにある。
【課題を解決するための手段】
【０００５】
本開示の一つの観点によれば、前記支払いのためのシステムは車輌と販売時点管理(ＰＯＳ)端末機とに組み合わせて使用するように適用される。前記ＰＯＳ端末機はＰＯＳコンピュータ及び前記ＰＯＳコンピュータに電気的に接続される支払い証明読み取り機を具える。前記システムは計器クラスター装置とモバイル装置を具える。前記計器クラスター装置は前記車輌に配置される。前記計器クラスター装置は前記ＰＯＳ端末機の前記支払い証明読み取り機により読み取られる支払い証明を提供するように構成され、それにより、前記ＰＯＳ端末機の前記支払い証明読み取り機が前記支払い証明を前記ＰＯＳ端末機のＰＯＳコンピュータに送り、前記ＰＯＳ端末機のＰＯＳコンピュータがインターネット経由で前記取引きに関する支払い情報を更に送ることを可能にする。前記モバイル装置は前記計器クラスター装置と通信可能で、前記支払い証明に係っている。前記モバイル装置は前記ＰＯＳ端末機のＰＯＳコンピュータに送られた前記支払い情報を受け取り、且つ、前記支払い情報を前記計器クラスター装置に送るように構成される。前記計器クラスター装置は前記支払い情報を表示し、前記取引きが使用者の前記計器クラスター装置に対する操作により確認された後に、前記モバイル装置が支払いを処理することを可能にするように更に構成される。
【０００６】
本開示のもう一つの観点によれば、前記方法は前記車輌の前記計器クラスター装置と、前記モバイル装置と、前記ＰＯＳ端末機とで実行されるように適用される。前記方法は、
(a)前記ＰＯＳ端末機の前記支払い証明読み取り機により、前記モバイル装置に係る支払い証明が前記車輌の前記計器クラスター装置から読み取られて、前記支払い証明が前記ＰＯＳ端末機の前記ＰＯＳコンピュータに送られるステップと、
(b)前記ＰＯＳ端末機の前記ＰＯＳコンピュータにより、インターネット経由で、前記支払い証明に係る前記モバイル装置が前記取引きに関する支払い情報を前記モバイル装置と通信する前記計器クラスター装置に送ることを可能にするステップと、
(c)前記計器クラスター装置により前記支払い情報を表示するステップと、
(d)前記取引きが使用者の前記車輌に対する操作により確認された後に、前記計器クラスター装置により、前記モバイル装置が支払いを処理することを可能にするステップと、
(e)前記モバイル装置により前記計器クラスター装置に支払いが行われていることを示す確認メッセージが送られるステップとを含むことを特徴とする。
【０００７】
本発明の他の特徴および利点は、添付の図面を参照する以下の実施形態の詳細な説明において明白になるであろう。
【図面の簡単な説明】
【０００８】
【図１】本開示による取引きを遂行するための計器クラスター装置を使用する支払いのためのシステムの第一実施例を示すブロック図である。
【図２】本開示による支払いのためのシステムの第一実施例に使用される計器クラスター装置の一つの実施形態を示す模式図である。
【図３】本開示による取引きを遂行するための計器クラスター装置を使用する支払いのための方法の第一実施例を示すフローチャートである。
【図４】計器クラスター装置のホストディスプレイでQuick Response（ＱＲ）コードを表示する一つの実施例を示す模式図である。
【図５】計器クラスター装置のホストディスプレイで支払い情報を表示する一つの実施例を示す模式図である。
【図６】計器クラスター装置のホストディスプレイで確認メッセージを表示する一つの実施例を示す模式図である。
【図７】本開示による支払いのためのシステムの第二実施例を示すブロック図である。
【図８】本開示による支払いのための方法の第二実施例を示すフローチャートである。
【図９】本開示による支払いのためのシステムの第三実施例を示すブロック図である。
【図１０】本開示による支払いのための方法の第三実施例を示すフローチャートである。
【図１１】計器クラスター装置のホストディスプレイで誘導メッセージを表示する一つの実施例を示す模式図である。
【図１２】本開示による支払いのためのシステムの第四実施例を示すブロック図である。
【図１３】本開示による支払いのための方法の第四実施例を示すフローチャートである。
【図１４】本開示による支払いのためのシステムの第一実施例の変形例を示すブロック図である。
【図１５】本開示による支払いのためのシステムの第三実施例の変形例を示すブロック図である。
【発明を実施するための形態】
【０００９】
本発明をより詳細に説明する前に、適切と考えられる場合において、符号又は符号の末端部は、同様の特性を有し得る対応の又は類似の要素を示すために各図面間で繰り返し用いられることに留意されたい。
【００１０】
まず、図１と図２には、本発明による、取引きを遂行するための計器クラスター装置５を使用する支払いのためのシステムの第一実施例が示されている。該支払いのためのシステムは車輌１と販売時点管理(ＰＯＳ)端末機９の組み合わせで利用されるように適用される。車輌１は、エネルギーストレージ（図示しない）を備える（例えば、ガソリン等の燃料を貯蔵するための燃料タンク、又は電気エネルギーを貯蔵するためのバッテリー）。車輌１は、バイクや乗用車やオール・テライン・ビークル（ＡＴＶ）やユーティリティ・ビークル（ＵＶ）や電動スクーター等であり得るが、車輌１の実施は、本開示に限らず、別の実施例に変化し得る。本実施例において、取引きはエネルギー源の購入、例えば、ガソリンスタンドで燃料タンクに注入されるガソリン（又はディーゼル）の購入や充電所で提供される電気エネルギーの購入に係っているが、取引きの実施も、本開示に限らず、別の実施例に変化し得る。例として、取引きは車輌１が停められる店での日用品の購入に係りえ、例えば、飲料の売店での茶の購入である。
【００１１】
ＰＯＳ端末機９は、ＰＯＳコンピューター９１と、ＰＯＳコンピューター９１に電気的に接続される支払い証明読み取り機９２を備える。
【００１２】
第一実施例において、前記システムは計器クラスター装置５、モバイル装置６、一セットの物理ボタン４（或いは計器クラスター装置５に表示される仮想ボタン）を備える。該セットの物理ボタン４は一つ、もしくは複数のボタンを備え、車輌１に設置され、計器クラスター装置５に電気的に接続され、取引きに関与するトータル料金に係る情報の確認のために操作される。
【００１３】
一つの実施例として、モバイル装置６及び計器クラスター装置５は互いに有線通信で通信し合うように構成される。また一つの実施例として、モバイル装置６及び計器クラスター装置５は互いに無線通信で通信するように構成される。
【００１４】
計器クラスター装置５は、車輌１に設置される。計器クラスター装置５は、ＰＯＳ端末機９の支払い証明読み取り機９２に読み取られる支払い証明を提供するよう構成され、これによりＰＯＳ端末機９の支払い証明読み取り機９２が支払い証明をＰＯＳ端末機９のＰＯＳコンピュータ９１に送れるようになる。その後に、ＰＯＳコンピュータ９１は取引きに関する支払い情報をインターネット８を通じて送る。なお、支払い証明は、インターネット８を通じてモバイル装置６にどのように到達するかの情報を含むものである（例えば、当該情報はモバイル装置６のＩＰアドレスである）。ＰＯＳ端末機９のＰＯＳコンピュータ９１はその情報に基づいてモバイル装置６にインターネット８を通じて支払い情報を送る。モバイル装置６は、取引きに関する支払い情報を受け取ってから、モバイル装置６と通信する計器クラスター装置５に支払い情報を中継するように更に構成される。次に、計器クラスター装置５は、支払い情報を表示し、取引きが使用者による計器クラスター装置５に対する操作で確認された後、モバイル装置６が支払いを処理することを可能にするように構成される。
【００１５】
計器クラスター装置５はバーコードを表示するように構成されるホストディスプレイ５０を備え、該バーコードは、支払い証明の情報を包含し、ＰＯＳ端末機９の支払い証明読み取り機９２にイメージスキャンで読み取られる。ホストディスプレイ５０は、支払い情報を表示するように更に構成される。
【００１６】
本実施例において、バーコードはQuick Responseコード（ＱＲコード（登録商標））として実施されるが、バーコードの実施態様は本開示に限らず、別の実施例に変化し得る。例えば、バーコードはリニアバーコード或いは他のタイプのマトリックスバーコードとして実施されても良い。
【００１７】
計器クラスター装置５はホストコンピュータ５１と、ダッシュボード５２と、ダッシュボードコントローラ５３とを更に備える。ホストコンピュータ５１はホストディスプレイ５０に電気的に接続され、ホストディスプレイ５０での表示を制御する。ダッシュボード５２はダッシュボードコントローラ５３に電気的に接続される。
【００１８】
図２を参照する。ダッシュボード５２は、それぞれホストディスプレイ５０の両側に位置する左部分５２ａと右部分５２ｂとを有する。ダッシュボード５２は、累積走行距離や、バッテリー電圧の表示や、車輌の速度の表示やエネルギー源のエネルギーレベルの表示などの情報を表示するように構成される。使用者の車輌１の物理ボタン４のセットに対する操作に基づいて、ダッシュボード５２の左部分５２ａと右部分５２ｂとの間に位置されるホストディスプレイ５０が、リモートモード又はオフラインモードで操作されるように更に構成される。リモートモードにおいて、ホストコンピュータ５１は、電子決済、車輌の速度、時間、天気情報、ナビゲーションシステムの図示、お知らせ、車輌検索の情報などの情報をホストディスプレイ５０が表示することを可能にするように、モバイル装置６に無線通信可能である。オフラインモードにおいて、ホストコンピュータ５１は、使用者のダッシュボード５２に対する操作で選択された情報（例えば、累積走行距離の表示や単一走行距離の表示やエネルギー源のエネルギーレベルの表示やタイヤ圧の測定結果やバッテリー電圧の表示などの情報）を表示するようにダッシュボード５２を制御する。
【００１９】
図１に示されるように、本開示の第一実施例において、ホストコンピュータ５１はプロセッサモジュール５１１と、無線通信モジュール５１２と、ホストコンピュータ５１のオペレーティングシステム（ＯＳ）としての機能を果たすプログラムデータ５１３０を搭載するように構成されたストレージモジュール５１３とを備える。プロセッサモジュール５１１はホストディスプレイ５０と、無線通信モジュール５１２と、ストレージモジュール５１３と、物理ボタン４のセットとに電気的に接続される。本実施例において、プロセッサモジュール５１１は、プロセッサ、中央処理装置（ＣＰＵ）、マイクロプロセッサもしくは本開示の機能を実行するためにソフトウェア方法及び／又はハードウェア方法で設定可能な又はプログラム可能な任意の回路として実施される。本実施例においてストレージモジュール５１３は、フラッシュメモリ、ハードディスクドライブ（ＨＤＤ）もしくはソリッドステートディスク（ＳＳＤ）、電気的消去可能ＲＯＭ（ＥＥＰＲＯＭ）、もしくは任意の不揮発性メモリ装置として実施される。本実施例において、無線通信モジュール５１２は、ブルートゥース（登録商標）モジュールもしくはＷｉ−Ｆｉモジュールとして実施され、ホストディスプレイ５０は液晶ディスプレイ（ＬＣＤ）もしくは発光ダイオード（ＬＥＤ）ディスプレイとして実施される。しかしながら、プロセッサモジュール５１１と、無線通信モジュール５１２と、ストレージモジュール５１３と、ホストディスプレイ５０とは本開示に限らず、他の実施例で変化し得るものである。
【００２０】
モバイル装置６は、プロセッサユニット６１と、アプリケーションプログラム(ＡＰＰ)６２１を搭載するように構成されるストレージユニット６２と、無線通信ユニット６３と、ディスプレイユニット６４と、入力ユニット６５と、全地球測位システム（ＧＰＳ）装置のような位置決めユニット６６と、ネットワーク通信ユニット６７を備える。本実施例において、モバイル装置６は、スマートフォン、ウェアラブルデバイス（例えばスマートウォッチ）、タブレット、もしくは携帯端末（ＰＤＡ）として実施されるが、実施形態は本開示に限らず、他の実施例で変化し得る。
【００２１】
同じ無線通信技術（例えば、ブルートゥース（登録商標）無線技術）を用いることで、モバイル装置６の無線通信ユニット６３は計器クラスター装置５の無線通信モジュール５１２に接続されることが可能である。モバイル装置６は支払い証明に係るものである。モバイル装置６はＰＯＳ端末機９のＰＯＳコンピュータ９１より送られる支払い情報を受け取り、且つ、計器クラスター装置５に支払い情報を送れるように構成される。
【００２２】
一つの実施例において、モバイル装置６の使用者がタッチスクリーンを操作することで情報を取得し(例えば、ＡＰＰ６２１のユーザーインターフェイスに表示されるコンテンツを読むこと)、データを入力することができるようにするために、ディスプレイユニット６４及び入力ユニット６５は、スマートフォン又はタブレットのタッチスクリーンとして統合されるように実施される。
【００２３】
図１４には、支払いのためのシステムの第一実施例の変形例が示される。本実施例において、計器クラスター装置５はホストディスプレイ５０及びホストコンピュータ５１だけを備え、図１に示されたようなダッシュボード５２及びダッシュボードコントローラ５３を備えていない。ダッシュボード５２及びダッシュボードコントローラ５３のすべての機能はそれぞれホストディスプレイ５０及びホストコンピュータ５１により実現される。
【００２４】
モバイル装置６に無線で接続される計器クラスター装置５を用いて取引きを遂行するため、本開示による支払いのためのシステムの第一実施例を用いる前に、使用者はモバイル装置６に搭載されたＡＰＰ６２１を用いてモバイル装置６を支払いのためのアカウント（例えば、クレジットカードアカウント又はデビットカードアカウント）に結び付けなければならない。
【００２５】
図１〜図６には、取引きを遂行するための計器クラスター装置５を用いる支払いのための方法の第一実施例が示される。該方法は、支払いのためのシステムの第一実施例で記載された車輌１の計器クラスター装置５と、モバイル装置６と、ＰＯＳ端末機９とで実行されるように適用される。本実施例において、モバイル装置６と計器クラスター装置５は無線で接続されているが、本実施例の変形例として、モバイル装置６と計器クラスター装置５は有線方式で接続されてもよい。該方法は下記のステップＳ２１３からＳ２２０までを含み、該取引きはエネルギー源を車輌１に充填する（例えば、ガソリン駆動の車輌１にガソリンを充填する、又は電動の車輌に充電する）ための支払いに係るものとして例示される。
【００２６】
ステップＳ２１３において、車輌１のエネルギーストレージが所望量のエネルギー源で充填された後に（例えば、エネルギーストレージがエネルギー源でフル充填された）、使用者の物理ボタン４に対する操作により計器クラスター装置５のホストディスプレイ５０が図４に示されたようなＱＲコード（登録商標）５０１に係るイメージを表示する。
【００２７】
ステップＳ２１４において、ＰＯＳ端末機９の支払い証明読み取り機９２が車輌１の計器クラスター装置５のホストディスプレイ５０からＱＲコード（登録商標）を読み取ることで、モバイル装置６に係る支払い証明を取得して、ＰＯＳ端末機９のＰＯＳコンピュータ９１に支払い証明を送る。
【００２８】
ステップＳ２１５において、ＰＯＳ端末機９のＰＯＳコンピュータ９１は、インターネット８経由で、支払い証明に係るモバイル装置６が取引きに関する支払い情報をモバイル装置６に通信する計器クラスター装置５に送ることを可能にする。本実施例において、モバイル装置６はネットワーク通信ユニット６７を利用してＰＯＳ端末機９のＰＯＳコンピュータ９１からの支払い情報を受け取って、次に無線通信ユニット６３を利用して支払い情報を計器クラスター装置５の無線通信モジュール５１２に送り、支払い情報は更に計器クラスター装置５のプロセッサモジュール５１１に送られる。
【００２９】
ステップＳ２１６において、計器クラスター装置５のプロセッサモジュール５１１はホストディスプレイ５０を制御して、図５に示されたような支払い情報５０２に係るメッセージを表示する。本実施例において、支払い情報はエネルギー源のタイプとエネルギー源のタイプの単価に係る情報と、購入されたエネルギー源の量に係る情報と、取引きで支払われるトータル料金に係る情報とを含む。支払い情報５０２に係るメッセージはまた、取引きを確認するか、又は取引きをキャンセルするために選択されるオプションを包含する。
【００３０】
ステップＳ２１７において、物理ボタン４のセットが使用者により操作されて、支払い情報により提供される取引きに関与するトータル料金の確認のオプションを選択する。
【００３１】
ステップＳ２１８において、車輌１の物理ボタン４のセットに対する使用者の操作で取引きが確認された後に、計器クラスター装置５は、モバイル装置６が支払いを処理することを可能にする。具体的に言うと、本実施例において、物理ボタン４のセットに対して行われた使用者の操作で取引きが確認された後に、モバイル装置６がモバイル装置６に結び付けられた支払いのためのアカウントを用いて支払いを処理することを可能にするため、計器クラスター装置５のプロセッサモジュール５１１は、支払いの権限を与える起動信号を生成して、該起動信号をモバイル装置６に無線通信モジュール５１２経由で送る。当業者においては、モバイル装置６で支払いするためのアカウントを用いて支払いを処理する実行の詳細は周知であるため、簡潔さのためここではその詳細な説明を省く。
【００３２】
ステップＳ２１９において、支払いが行われたことを示す確認メッセージを受け取った後に（例えば、銀行のサーバーから該確認メッセージが発信される）、モバイル装置６は確認メッセージを計器クラスター装置５に送る。
【００３３】
ステップＳ２２０において、計器クラスター装置５のプロセッサモジュール５１１がホストディスプレイ５０を制御して、図６に示されたように確認メッセージによって支払いの結果の通知５０３を表示する。
【００３４】
図７には、本開示による支払いのためのシステムの第二実施例が示される。支払いのためのシステムの第二実施例は前に記載された支払いのためのシステムの第一実施例と類似するが、下記の方面で異なる。
【００３５】
第二実施例の支払いのためのシステムは更にエネルギーレベルセンサー３を備える。該エネルギーレベルセンサー３は計器クラスター装置５に電気的に接続される。本実施例において、エネルギーレベルセンサー３はホストコンピュータ５１及びダッシュボードコントローラ５３に電気的に接続される。エネルギーレベルセンサー３は、エネルギーストレージ内のエネルギー源のエネルギーレベル（例えば、燃料タンク内の燃料のレベル、又はバッテリー内の残余の電気エネルギー）を検出して、エネルギーレベル信号を生成し、該エネルギーレベル信号をホストコンピュータ５１及びダッシュボードコントローラ５３に送るように構成される。その後に、エネルギーレベル検出の結果がエネルギーレベル信号に基づいてホストディスプレイ５０及びダッシュボード５２に表示される。
【００３６】
計器クラスター装置５は、エネルギーレベル信号に基づいてエネルギーストレージ内のエネルギー源のエネルギーレベルが上昇したかどうかを判定し、エネルギーストレージ内のエネルギー源のエネルギーレベルが上昇したと計器クラスター装置５により判定された場合、計器クラスター装置５のホストディスプレイ５０にバーコードを表示するように更に構成される。すなわち、車輌１のエネルギーストレージがエネルギー源で満たされ、エネルギー源のエネルギーレベルが上昇したことが判定されると、計器クラスター装置５は自動的にバーコードを表示するように実行される。
【００３７】
図８には、支払いのための方法の第二実施例が示される。該方法は、図７に例示的に描写される支払いのためのシステムの第二実施例に記載されたように、車輌１の計器クラスター装置５と、モバイル装置６と、ＰＯＳ端末機９とで実行されるように適用される。
【００３８】
ステップＳ２１０において、エネルギーレベルセンサー３はエネルギーストレージ内のエネルギー源のエネルギーレベルを検出して、エネルギーレベル信号を生成し、該エネルギーレベル信号を計器クラスター装置５のホストコンピュータ５１及びダッシュボードコントローラ５３に送る。次に、エネルギーレベル信号に基づいたエネルギーレベルの検出の結果を表示するように、計器クラスター装置５のホストコンピュータ５１及びダッシュボードコントローラ５３はそれぞれホストディスプレイ５０及びダッシュボード５２を制御する。一つの実施例において、エネルギーレベルの検出の結果はダッシュボード５２によりのみ表示される。
【００３９】
ステップＳ２１１において、計器クラスター装置５のプロセッサモジュール５１１は、エネルギーレベル信号に基づいて、エネルギーストレージ内のエネルギー源のエネルギーレベルが上昇したかどうかを判定する。プロセッサモジュール５１１によりエネルギーストレージ内のエネルギー源のエネルギーレベルが上昇していないと判定された場合、手順の流れはステップＳ２１０に戻る。そうでなく、プロセッサモジュール５１１によりエネルギーストレージ内のエネルギー源のエネルギーレベルが上昇したと判定された場合、手順の流れはステップＳ２１２に進む。
【００４０】
ステップＳ２１２において、計器クラスター装置５のホストディスプレイ５０はプロセッサモジュール５１１により制御されてバーコード（例えば、図４に示されたようなＱＲコード（登録商標））を表示する。
【００４１】
その後、本開示による支払いのための方法の第二実施例の手順の流れは、図３に示されたような第一実施例のＳ２１４からＳ２２０までのステップに類似するＳ２１４からＳ２２０までのステップに進み続けるが、簡潔さのためここではその詳細な説明を省く。
【００４２】
図９には、本開示による支払いのためのシステムの第三実施例が示される。支払いのためのシステムの第三実施例は上述の支払いのためのシステムの第一実施例と類似するが、下記の方面で異なる。
【００４３】
第三実施例において、計器クラスター装置５は、ホストディスプレイ５０の真下に設置され、且つ、ＰＯＳ端末機９の支払い証明読み取り機９２により近距離無線通信（ＮＦＣ）技術を用いて読み取られる支払い証明を提供するように構成されるＮＦＣモジュール５１４を更に備える。本実施例において、ＰＯＳ端末機９の支払い証明読み取り機９２はＮＦＣセンサーとして実施される。プロセッサモジュール５１１はＮＦＣモジュール５１４に電気的に接続され、ＰＯＳ端末機９の支払い証明読み取り機９２が支払い証明をＮＦＣ技術を用いて読み取ることを可能にするためにＮＦＣモジュール５１４を起動するように構成される。さらに、本実施例において、モバイル装置６は、モバイル装置６が支払い証明をＰＯＳ端末機９の支払い証明読み取り機９２に同じくＮＦＣ技術を用いて提供することを可能にするＮＦＣユニット６８を更に備える。
【００４４】
図１５は本開示による支払いのためのシステムの第三実施例の変形例を示す。本実施例において、計器クラスター装置５はホストディスプレイ５０及びホストコンピュータ５１だけを備え、図９に示されたようなダッシュボード５２及びダッシュボードコントローラ５３を備えていない。ダッシュボード５２及びダッシュボードコントローラ５３のすべての機能はそれぞれホストディスプレイ５０及びホストコンピュータ５１により実現される。
【００４５】
図１０には、本開示による支払いのための方法の第三実施例が示される。該方法は、図９又は図１５に例示的に描写される支払いのためのシステムの第三実施例に記載された通り、車輌１の計器クラスター装置５と、モバイル装置６と、ＰＯＳ端末機９とで実行されるように適用される。支払いのための方法の第三実施例は下記のステップを含む。
【００４６】
ステップＳ２１３´において、車輌１が所望量のエネルギー源で充填されてから（例えば、エネルギーストレージがフル充填される）、使用者の物理ボタン４のセットに対する操作に応答して、ＰＯＳ端末機９の支払い証明読み取り機９２がＮＦＣ技術を用いて支払い証明を読み取ることを可能にするように、プロセッサモジュール５１１がＮＦＣモジュール５１４を起動する。次に、計器クラスター装置５のホストディスプレイ５０が、図１１に示されたようにＮＦＣ技術を用いて支払い証明の読み取りを要求する誘導メッセージ５０４を表示する。
【００４７】
ステップＳ２１４´において、ＰＯＳ端末機９の支払い証明読み取り機９２は、計器クラスター装置５よりＮＦＣ技術によってＮＦＣモジュール経由で提供される支払い証明を読み取るように操作される。
【００４８】
その後、本開示による支払いのための方法の第三実施例の手順の流れは、取引きを完成させるためにＳ２１５からＳ２２０までのステップに進み続ける。第三実施例のＳ２１５からＳ２２０までのステップは、図３に示されたような第一実施例のＳ２１５からＳ２２０までのステップにそれぞれ類似するので、簡潔さのためＳ２１５からＳ２２０までのステップの実行の詳細はここでは省略する。
【００４９】
図１２には、本開示による支払いのためのシステムの第四実施例が示される。支払いのためのシステムの第四実施例は上述の支払いのためのシステムの第三実施例と類似するが、下記の方面で異なる。
【００５０】
本実施例において、支払いのためのシステムは、エネルギーストレージ内に設置され、計器クラスター装置５に電気的に接続されるエネルギーレベルセンサー３を更に備える。該エネルギーレベルセンサー３は、エネルギーストレージ内のエネルギー源のエネルギーレベルを検出して、エネルギーレベル信号を生成し、該エネルギーレベル信号をホストコンピュータ５１のプロセッサモジュール５１１及びダッシュボードコントローラ５３に送るように構成される。
【００５１】
ＮＦＣモジュール５１４及びエネルギーレベルセンサー３に電気的に接続されるプロセッサモジュール５１１は、エネルギーレベル信号を受け取るように構成される。計器クラスター装置５のプロセッサモジュール５１１及びダッシュボードコントローラ５３はそれぞれホストディスプレイ５０及びダッシュボード５２を制御して、エネルギーレベル信号に基づいたエネルギーレベルの検出の結果を表示する。一つの実施例において、エネルギーレベルの検出はダッシュボード５２にのみ表示される。
【００５２】
プロセッサモジュール５１１は更に、エネルギーレベル信号に基づいて、エネルギーストレージ内のエネルギー源のエネルギーレベルが上昇したかどうかを判定する。プロセッサモジュール５１１は、エネルギーストレージ内のエネルギー源のエネルギーレベルが上昇したとプロセッサモジュール５１１により判定された場合、ＰＯＳ端末機９の支払い証明読み取り機９２が支払い証明をＮＦＣ技術を用いて読み取ることを可能にするためにＮＦＣモジュール５１４を起動するように構成される。それに加えて、プロセッサモジュール５１１はホストディスプレイ５０を制御して、図１１に示されたようにＮＦＣ技術を用いて支払い証明の読み取りを要求する誘導メッセージ５０４をホストディスプレイ５０に表示させる。すなわち、車輌１のエネルギーストレージがエネルギー源で満たされていて、エネルギー源のエネルギーレベルが上昇したと判定された場合、計器クラスター装置５は自動的に誘導メッセージ５０４を表示するように実行される。
【００５３】
図１３には、支払いのための方法の第四実施例が示される。該方法は、図１２に例示的に描写される支払いのためのシステムの第四実施例に記載されたように、車輌１の計器クラスター装置５と、モバイル装置６と、ＰＯＳ端末機９とで実行されるように適用される。支払いのための方法の第四実施例は、下記のステップを含む。
【００５４】
ステップＳ２１０において、エネルギーレベルセンサー３は、エネルギーストレージ内のエネルギー源のエネルギーレベルを検出してエネルギーレベル信号を生成し、該エネルギーレベル信号を計器クラスター装置５のホストコンピュータ５１及びダッシュボードコントローラ５３に送り、これによりホストディスプレイ５０及びダッシュボード５２はエネルギーレベル信号に基づいてエネルギーレベルの検出の結果を表示する。
【００５５】
ステップＳ２１１において、計器クラスター装置５のプロセッサモジュール５１１は、エネルギーレベル信号に基づいて、エネルギーストレージ内のエネルギー源のエネルギーレベルが上昇したかどうかを判定する。プロセッサモジュール５１１によりエネルギーストレージ内のエネルギー源のエネルギーレベルが上昇していないと判定された場合、手順の流れはステップＳ２１０に戻る。そうでなければ、言い換えれば、プロセッサモジュール５１１によりエネルギーストレージ内のエネルギー源のエネルギーレベルが上昇したと判定された場合、手順の流れはステップＳ２１３´´に進む。
【００５６】
ステップＳ２１３´´において、プロセッサモジュール５１１は、ＰＯＳ端末機９の支払い証明読み取り機９２が支払い証明をＮＦＣ技術を用いて読み取ることを可能にするために、ＮＦＣモジュール５１４を起動する。それに加えて、プロセッサモジュール５１１は計器クラスター装置５のホストディスプレイ５０を制御して、図１１に示されたようにＮＦＣ技術を用いた支払い証明の読み取りを要求する誘導メッセージ５０４をホストディスプレイ５０に表示させる。
【００５７】
ステップＳ２１４´´において、ＰＯＳ端末機９の支払い証明読み取り機９２は、計器クラスター装置５よりＮＦＣモジュール５１４経由で提供される支払い証明をＮＦＣ技術を用いて読み取るように操作される。
【００５８】
次に、本開示による支払いのための方法の第四実施例の手順の流れは、取引きを完成するために、Ｓ２１５からＳ２２０までのステップに進み続ける。第四実施例のＳ２１５からＳ２２０までのステップは、それぞれ図８に示されたように第二実施例のＳ２１５からＳ２２０までのステップと類似するので、簡潔さのためＳ２１５からＳ２２０までのステップの詳細はここでは省略する。
【００５９】
要約すれば、本開示による支払いのための方法とシステムは、車輌の計器クラスター装置とモバイル装置を利用して取引きを遂行し、使用者が車輌に乗ったまま支払いを行うことを容易にする。
【００６０】
上記においては、説明のため、本発明の全体的な理解を促すべく多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものである。
【００６１】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【符号の説明】
【００６２】
１    車輌
４    物理ボタン
５    計器クラスター装置
５０    ホストディスプレイ
５１    ホストコンピュータ
５１１    プロセッサモジュール
５１２    無線通信モジュール
５１３    ストレージモジュール
５１３０    プログラムデータ
５１４    ＮＦＣモジュール
５２    ダッシュボード
５３    ダッシュボードコントローラ
６    モバイル装置
６１    プロセッサユニット
６２    ストレージユニット
６２１    アプリケーションプログラム
６３    無線通信ユニット
６４    ディスプレイユニット
６５    入力ユニット
６６    位置決めユニット
６７    ネットワーク通信ユニット
６８    ＮＦＣユニット
８    インターネット
９    ＰＯＳ端末機
９１    ＰＯＳコンピュータ
９２    支払い証明読み取り機
【図１】
2019153278.tif 000003
【図２】
2019153278.tif 000004
【図３】
2019153278.tif 000005
【図４】
2019153278.tif 000006
【図５】
2019153278.tif 000007
【図６】
2019153278.tif 000008
【図７】
2019153278.tif 000009
【図８】
2019153278.tif 000010
【図９】
2019153278.tif 000011
【図１０】
2019153278.tif 000012
【図１１】
2019153278.tif 000013
【図１２】
2019153278.tif 000014
【図１３】
2019153278.tif 000015
【図１４】
2019153278.tif 000016
【図１５】
2019153278.tif 000017
【外国語明細書】
2019153278000001.pdf